(57)【要約】  学習結果出力装置は、学習対象物の形状を示す形態情報に基づいて、学習対象物の属性のうちの少なくとも一つの属性について当該属性の程度を評価軸にして機械学習する機械学習部と、機械学習部が機械学習した学習結果を示す学習モデルに基づいて、評価軸を軸にして学習結果を表すグラフを示すグラフ情報を生成するグラフ情報生成部とを備える。
2018181458.tif 000002
【特許請求の範囲】
【請求項１】
学習対象物の形状を示す形態情報に基づいて、前記学習対象物の属性のうちの少なくとも一つの属性について当該属性の程度を評価軸にして機械学習する機械学習部と、
前記機械学習部が機械学習した学習結果を示す学習モデルに基づいて、前記評価軸を軸にして前記学習結果を表すグラフを示すグラフ情報を生成するグラフ情報生成部と
を備える学習結果出力装置。
【請求項２】
前記学習モデルに基づく前記評価軸を選択する操作を検出する操作検出部を更に備え、
前記グラフ情報生成部は、
前記操作検出部が検出した操作によって選択された評価軸を軸にして前記グラフ情報を生成する
請求項１に記載の学習結果出力装置。
【請求項３】
前記操作検出部は、更に、
前記グラフ情報生成部が生成する前記グラフ情報に基づく前記学習対象物の可視化の操作を検出する
請求項２に記載の学習結果出力装置。
【請求項４】
前記操作検出部が検出する前記可視化の操作に基づいて、前記学習対象物の振分に用いる制御信号を生成する制御信号生成部を更に備える
請求項３に記載の学習結果出力装置。
【請求項５】
前記形態情報とは、構造化された照明パターンを有する光学系又は光特性が互いに異なる複数の領域を有する構造化された検出系のいずれか又は両方を用い、前記学習対象物と、前記光学系と、前記検出系とのうちのいずれかの間の相対位置を変化させつつ、一又は少数画素検出素子によって検出された前記学習対象物を示す光信号の時系列信号である
請求項１から請求項４のいずれか一項に記載の学習結果出力装置。
【請求項６】
コンピュータに
学習対象物の形状を示す形態情報に基づいて、前記学習対象物の属性のうちの少なくとも一つの属性について当該属性の程度を評価軸にして機械学習する機械学習ステップと、
前記機械学習ステップによって機械学習された学習結果を示す学習モデルに基づいて、前記評価軸を軸にして前記学習結果を表すグラフを示すグラフ情報を生成するグラフ情報生成ステップと
を実行させるための学習結果出力プログラム。
【発明の詳細な説明】
【技術分野】
【０００１】
本発明は、学習結果出力装置及び学習結果出力プログラムに関する。本願は、２０１７年３月２９日に、日本に出願された特願２０１７−０６４３８７号に基づき優先権を主張し、その内容をここに援用する。
【背景技術】
【０００２】
従来、測定対象を蛍光染色し、この蛍光輝度の総量によって測定対象の特徴を評価するフローサイトメトリー法や、このフローサイトメトリー法を用いたフローサイトメーターが知られている（例えば、特許文献１）。また、測定対象となる細胞・細菌等の微粒子を画像によって評価する蛍光顕微鏡やイメージングサイトメーターが知られている。加えて、フローサイトメーターと同等のスループットで微粒子の形態情報を高速に撮影するイメージングフローサイトメーターが知られている（例えば、特許文献２）。
【先行技術文献】
【特許文献】
【０００３】
【特許文献１】特許第５５３４２１４号公報
【特許文献２】米国特許第６２４９３４１号明細書
【発明の概要】
【発明が解決しようとする課題】
【０００４】
従来の技術では、蛍光輝度や散乱光の総量などの予め定められた評価軸によって測定対象の特徴を示す。この予め定められた評価軸は、測定対象を測定する測定者によって決定される。しかし、測定対象の特徴には、蛍光輝度や散乱光の総量だけではなく、細胞の形態情報や分子局在等の二次元空間上の特徴などの従来から利用されているヒストグラムや散布図等のグラフでは表現できない特徴や測定者が気付いていない特徴も含まれる。この特徴には、従来のグラフ表示法では表示ができない特徴や測定者が気付いていない特徴が含まれるため、従来の予め定められた評価軸やグラフ表示法では測定対象の特徴を表現しきれず、それらの特徴を備えた測定対象の粒子群を選択的に可視化（ゲーティング）し、それらを分取（ソーティング）できないという問題があった。
本発明の課題は、粒子群を測定対象の形態情報に基づいて分類する学習結果出力装置及び学習結果出力プログラムを提供することにある。
【課題を解決するための手段】
【０００５】
本発明の一態様は、学習対象物の形状を示す形態情報に基づいて、前記学習対象物の属性のうちの少なくとも一つの属性について当該属性の程度を評価軸にして機械学習する機械学習部と、前記機械学習部が機械学習した学習結果を示す学習モデルに基づいて、前記評価軸を軸にして前記学習結果を表すグラフを示すグラフ情報を生成するグラフ情報生成部とを備える学習結果出力装置である。【０００６】
また、本発明の一態様は、上記の学習結果出力装置において、前記学習モデルに基づく前記評価軸を選択する操作を検出する操作検出部を更に備え、前記グラフ情報生成部は、前記操作検出部が検出した操作によって選択された評価軸を軸にして前記グラフ情報を生成する。【０００７】
また、本発明の一態様は、上記の学習結果出力装置において、前記操作検出部は、更に、前記グラフ情報生成部が生成する前記グラフ情報に基づく前記学習対象物の可視化の操作を検出する学習結果出力装置である。【０００８】
また、本発明の一態様は、上記の学習結果出力装置において、前記操作検出部が検出する前記可視化の操作に基づいて、前記学習対象物の振分に用いる制御信号を生成する制御信号生成部を更に備える学習結果出力装置である。【０００９】
また、本発明の一態様は、上記の学習結果出力装置において、前記形態情報とは、構造化された照明パターンを有する光学系又は光特性が互いに異なる複数の領域を有する構造化された検出系のいずれか又は両方を用い、前記学習対象物と、前記光学系と、前記検出系とのうちのいずれかの間の相対位置を変化させつつ、一又は少数画素検出素子によって検出された前記学習対象物を示す光信号の時系列信号である。【００１０】
また、本発明の一態様は、コンピュータに学習対象物の形状を示す形態情報に基づいて、前記学習対象物の属性のうちの少なくとも一つの属性について当該属性の程度を評価軸にして機械学習する機械学習ステップと、前記機械学習ステップによって機械学習された学習結果を示す学習モデルに基づいて、前記評価軸を軸にして前記学習結果を表すグラフを示すグラフ情報を生成するグラフ情報生成ステップとを実行させるための学習結果出力プログラムである。
【発明の効果】
【００１１】
本発明によれば、粒子群を測定対象の形態情報に基づいて分類する学習結果出力装置及び学習結果出力プログラムを提供することができる。
【図面の簡単な説明】
【００１２】
【図１】細胞測定システムの外観構成を示す図である。
【図２】学習結果出力装置の機能構成の一例を示す図である。
【図３】機械学習部がある信号情報を判定した判定結果の一例を示す図である。
【図４】表示データ生成部が生成するグラフ情報の一例を示す図である。
【図５】従来のフローサイトメーターが表示するグラフと、表示データ生成部が生成するグラフ情報の一例を示す図である。
【図６】表示データ生成部が生成するグラフ情報の一例を示す図である。
【図７】学習結果出力装置の動作の一例を示す流れ図である。
【図８】２つの軸をそれぞれ学習結果に基づく評価軸を軸にしたグラフの一例である。
【発明を実施するための形態】
【００１３】
［実施形態］
以下、図面を参照して学習結果出力装置の実施形態について説明する。
図１は、細胞測定システム１の外観構成を示す図である。
細胞測定システム１は、フローサイトメーター２０と、学習結果出力装置１０と、表示部１１と、操作部１２とを備える。学習結果出力装置１０は、フローサイトメーター２０が測定した測定対象の情報が含まれる信号を機械学習する。学習結果出力装置１０は、この機械学習によって測定対象の特徴を解析する。
【００１４】
［フローサイトメーターについて］
フローサイトメーター２０は、細胞などの測定対象の光信号を検出する。測定対象とは、学習対象物の一例である。具体的には、測定対象とは、細胞である。以下の説明では、測定対象のことを、微粒子群とも記載する。フローサイトメーター２０は、不図示の流路を備える。フローサイトメーター２０は、この流路を流される測定対象の光信号の時系列信号を生成する。
【００１５】
［光信号について］
光信号は、構造化された照明パターンを有する光学系又は光特性が互いに異なる複数の領域を有する構造化された検出系のいずれか又は両方を用い、測定対象と、光学系と、検出系とのうちのいずれかの間の相対位置を変化させつつ、一又は少数画素検出素子によって検出された測定対象を示す光信号の時系列信号である。
具体的には、光信号とは、フローサイトメーター２０が備える不図示のセンサが検出した光の強度を示す情報である。センサとは、一又は少数画素検出素子の一例である。一又は少数画素検出素子とは、具体的には、一又は少数画素検出素子とは、ＰＭＴ（ｐｈｏｔｏｍｕｌｔｉｐｌｉｅｒ  ｔｕｂｅ；光電子倍増管）、ライン型ＰＭＴ素子、ＡＰＤ（Ａｖａｌａｎｃｈｅ  Ｐｈｏｔｏ−ｄｉｏｄｅ、アバランシェフォトダイオード）、Ｐｈｏｔｏ−ｄｅｔｅｃｔｏｒ（ＰＤ：光検出器）などの単一受光素子及び少数受光素子、ＣＣＤカメラ及び、ＣＭＯＳセンサなどである。センサが検出する光とは、フローサイトメーター２０が備える不図示の照射部から、測定対象と、不図示の光空間変調器とによって変調された光である。ここで、光空間変調器とは、構造化された照明パターンの一例である。
フローサイトメーター２０は、測定対象と、光学系と、検出系とのうちのいずれかの間の相対位置を変化させつつ、一又は少数画素検出素子によって光信号を検出する。この一例では、測定対象が流路を流されることにより、光学系と検出系との相対位置が変化する。
【００１６】
［光学系と検出系とについて］
ここで、光学系について説明する。光学系が照射部と光空間変調器とを備える場合には、検出系は上述したセンサを備える。この構成のことを、構造化照明の構成とも記載する。
光学系が照射部を備える場合には、検出系は光空間変調器とセンサとを備える。この構成のことを、構造化検出の構成とも記載する。
フローサイトメーター２０は、構造化照明の構成と、構造化検出の構成とのいずれの構成であってもよい。
［光信号の時系列信号について］
光信号の時系列信号とは、複数の光信号が取得された時刻と、光の強度の情報とがそれぞれ対応付けられた信号である。
フローサイトメーター２０は、この時系列信号から測定対象の像を再構成することができる。この時系列信号には、測定対象の属性の情報が含まれる。属性とは、具体的には、測定対象の形状や、測定対象を構成する構成要素などが含まれる。測定対象が蛍光染色されている場合には、測定対象からの蛍光の輝度の程度などの情報が含まれる。なお、学習結果出力装置１０は、測定対象の像を再構成することなく、測定対象の特徴を解析する。
【００１７】
［学習結果出力装置１０について］
学習結果出力装置１０は、フローサイトメーター２０が検出した光信号の時系列信号を取得する。学習結果出力装置１０は、フローサイトメーター２０から取得した時系列信号を機械学習する。学習結果出力装置１０は、この機械学習により測定対象の属性を解析する。
表示部１１は、学習結果出力装置１０が解析した結果を表示する。
操作部１２は、学習結果出力装置１０を操作する操作者からの入力を受け付ける。操作部１２とは、具体的には、キーボード、マウス、タッチパネルなどである。
【００１８】
ここで、図２を参照して、学習結果出力装置１０の機能構成について説明する。
図２は、学習結果出力装置１０の機能構成の一例を示す図である。
学習結果出力装置１０は、信号取得部１０１と、機械学習部１０２と、記憶部ＳＴと、操作検出部１０３と、表示データ生成部１０４と、表示部１１と、制御信号生成部１０５とを備える。ここで、表示データ生成部１０４とは、グラフ情報生成部の一例である。
【００１９】
信号取得部１０１は、上述したフローサイトメーター２０から、時系列信号を示す信号情報を取得する。ここで、信号情報とは、学習対象物の形状を示す形態情報の一例である。信号取得部１０１は、フローサイトメーター２０から取得した信号情報を、機械学習部１０２に対して供給する。
【００２０】
機械学習部１０２は、学習対象物の属性のうちの少なくとも一つの属性について、この属性の程度を評価軸にして機械学習する。具体的には、機械学習部１０２は、信号取得部１０１から信号情報を取得する。機械学習部１０２は、信号取得部１０１から取得した信号情報を機械学習することにより判定器を形成する。ここで、機械学習部１０２は、サポートベクターマシン等の機械学習アルゴリズムによって判定器が形成される。この判定器は、ＦＰＧＡ（ｆｉｅｌｄ−ｐｒｏｇｒａｍｍａｂｌｅ  ｇａｔｅ  ａｒｒａｙ）の論理回路によって構成される。なお、判定器は、などのプログラマブルロジックデバイス（ｐｒｏｇｒａｍｍａｂｌｅ  ｌｏｇｉｃ  ｄｅｖｉｃｅ；ＰＬＤ）や、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）などによって構成されてもよい。判定器とは、学習モデルの一例である。
また、本実施形態では、機械学習部１０２は、予め教師ありの機械学習によって判定器が形成される。
機械学習部１０２は、取得した信号情報を判定器によって判定する。
機械学習部１０２は、この信号情報を判定した判定結果を、表示データ生成部１０４に対して供給する。この判定結果には、測定対象の属性のうちの少なくとも一つの属性について、この属性の程度を評価軸にする情報が含まれる。
【００２１】
操作検出部１０３は、判定器の判定結果に基づく評価軸を選択する操作を検出する。具体的には、操作検出部１０３は、操作者が複数の属性の程度の評価軸のうちから、評価軸を選択する操作を検出する。操作検出部１０３は、検出した操作に基づいて、操作者が選択した評価軸を示す情報を表示データ生成部１０４に対して供給する。また、操作検出部１０３は、更に、表示データ生成部１０４が生成するグラフ情報に基づく測定対象の可視化の操作を検出する。具体的には、操作検出部１０３は、後述する表示データ生成部１０４が生成するグラフ情報に基づいて、ユーザーが測定対象をゲーティングする操作を検出する。ゲーティングについては、後述する。
【００２２】
表示データ生成部１０４は、機械学習部１０２が信号情報を判定器によって判定した判定結果に基づいて、評価軸を軸にして判定結果を表すグラフを示すグラフ情報を生成する。具体的には、表示データ生成部１０４は、機械学習部１０２から判定結果を取得する。
表示データ生成部１０４は、操作検出部１０３から操作者が選択した評価軸を示す情報を取得する。
【００２３】
［判定結果について］
ここで、図３を参照して、判定結果ＬＩについて説明する。
図３は、機械学習部１０２がある信号情報を判定した判定結果の一例を示す図である。
判定結果ＬＩとは、測定対象の属性を示す評価軸と、その属性の程度を示す値とが対応付けられた情報である。具体的には、判定結果ＬＩには、評価軸の情報として“ＳＶＭ−ｂａｓｅｄ  Ｓｃｏｒｅｓ１”と、属性の程度を示す値として“ＶＡＬ１”とが対応付けられた状態で含まれる。また、判定結果ＬＩには、評価軸の情報として“ＳＶＭ−ｂａｓｅｄ  Ｓｃｏｒｅｓ２”と、属性の程度を示す値として“ＶＡＬ２”とが対応付けられた状態で含まれる。
【００２４】
図２に戻り、表示データ生成部１０４は、操作者が選択した評価軸を軸とするグラフ情報を生成する。グラフ情報とは、測定対象の判定結果を表すグラフを示す情報である。具体的には、グラフ情報とは、少なくとも１軸に判定結果ＬＩの評価軸を軸にした情報を含む情報である。
表示データ生成部１０４は、生成したグラフ情報を、表示部１１に供給する。表示部１１は、グラフ情報を表示画像として表示させる。
【００２５】
表示データ生成部１０４は、操作検出部１０３から、ユーザーがゲーティングした操作を示すゲーティング操作を取得する。表示データ生成部１０４は、このゲーティング操作によって選択された測定対象を示す情報を、制御信号生成部１０５に対して供給する。以下の説明では、ゲーティング操作によって選択された測定対象のことを、選択測定対象とも記載する。具体的には、選択測定対象は、学習結果出力装置１０を操作するユーザーが関心のある測定対象をゲーティングすることにより決定される。以下の説明では、ゲーティングすることを、選択的に可視化するとも記載する。このゲーティングにより、学習結果出力装置１０は、測定対象の中に含まれるゴミや、目的の細胞以外の粒子を除いた解析を行うことができる。
【００２６】
より具体的には、ソーティングとは、学習結果出力装置１０を操作するユーザーによってゲーティングされた微粒子群を、フローサイトメーター２０が振り分けることである。
ゲーティングは、学習結果出力装置１０を操作するユーザーによって行われる。ユーザーは、表示データ生成部１０４によって生成されたグラフ情報に基づいて、ゲーティングする操作を行う。操作検出部１０３は、このユーザーの操作を検出する。
【００２７】
制御信号生成部１０５は可視化の操作に基づいて、学習対象物の振分に用いる制御信号を生成する。制御信号生成部１０５は、表示データ生成部１０４から、選択測定対象を示す情報を取得する。制御信号生成部１０５は、表示データ生成部１０４から取得した選択測定対象を示す情報に基づいて、ソーティングに用いる制御信号を生成する。ソーティングとは、測定対象を選択的に分取することである。分取とは、この一例では、評価軸に応じて選択的に振り分けることである。ソーティングは、振分の一例である。制御信号とは、フローサイトメーター２０が備えるソーティング部２１を制御する信号である。制御信号生成部１０５は、生成した制御信号をソーティング部２１に対して供給する。
【００２８】
ソーティング部２１は、制御信号生成部１０５から制御信号を取得する。ソーティング部２１は、制御信号生成部１０５から取得した制御信号に基づいて、流路を流される測定対象のうちから、選択測定対象をソーティングする。
【００２９】
［グラフ情報］
ここで、図４から図６を参照して、表示データ生成部１０４が生成するグラフ情報について説明する。
図４は、表示データ生成部１０４が生成するグラフ情報の一例を示す図である。
図４に示すグラフは、判定結果ＬＩに基づいて生成されるグラフである。このグラフは、評価軸に示す属性の程度毎に、該当する測定対象の数を示す。
図４に示すグラフの横軸は、評価軸“ＳＶＭ−ｂａｓｅｄ  Ｓｃｏｒｅｓ  ｏｆ  Ｇｒｅｅｎ  Ｗａｖｅｆｏｒｍｓ”である。上述したように、この評価軸は、機械学習部１０２によって機械学習された結果である判定結果ＬＩに含まれる軸である。このグラフの縦軸は、測定対象の数である。
【００３０】
図５は、従来のフローサイトメーターが表示するグラフと、表示データ生成部１０４が生成するグラフ情報の一例を示す図である。図５に示す測定対象は、ＤＡＰＩ（４’，６−ｄｉａｍｉｄｉｎｏ−２−ｐｈｅｎｙｌｉｎｄｏｌｅ）と、ＦＧ（ｆｉｘａｂｌｅ  ｇｒｅｅｎ）とによって蛍光染色された、複数の細胞である。機械学習部１０２は、細胞毎に信号情報を機械学習する。ＤＡＰＩとは、青色蛍光の染色剤である。ＦＧとは、緑色蛍光の染色剤である。
【００３１】
図５（ａ）は、従来のフローサイトメーターが生成するグラフである。図５（ａ）の横軸は、予め定められた軸である“Ｔｏｔａｌ  Ｉｎｔｅｎｓｉｔｙ  ｏｆ  ＦＧ”である。図５（ａ）の縦軸は、測定対象の数である。
【００３２】
図５（ｂ）は、本実施形態の表示データ生成部１０４が生成するグラフである。図５（ｂ）の横軸は、判定結果ＬＩに含まれる評価軸である“Ｔｏｔａｌ  Ｉｎｔｅｎｓｉｔｙ  ｏｆ  ＤＡＰＩ”である。この評価軸“Ｔｏｔａｌ  Ｉｎｔｅｎｓｉｔｙ  ｏｆ  ＤＡＰＩ”とは、２種類の細胞のＤＡＰＩによる青色の蛍光輝度の強さの程度の評価軸である。図５（ｂ）の縦軸は、測定対象の数である。ここで、このグラフ中に示す、“ＭＩＡ  ＰａＣａ−２”と、“ＭＣＦ−７”とは、上述した測定対象である。機械学習部１０２は、この２種類の細胞からの青色の蛍光輝度の強さの程度が含まれる判定結果ＬＩを生成する。表示データ生成部１０４は、２種類の細胞の青色の蛍光輝度の強さの程度が含まれるグラフを生成する。
【００３３】
図５（ｃ）は、本実施形態の表示データ生成部１０４が生成するグラフである。図５（ｃ）の横軸は、判定結果ＬＩに含まれる評価軸である“ＳＶＭ−ｂａｓｅｄ  ｓｃｏｒｅｓ  ｏｆ  ＦＧ”である。この評価軸“ＳＶＭ−ｂａｓｅｄ  ｓｃｏｒｅｓ  ｏｆ  ＦＧ”とは、判定器によって判定されたＦＧで染色した細胞の形態情報を元にしたスコアを軸とする評価軸である。図５（ｃ）の縦軸は、測定対象の数である。測定対象の形態の情報が含まれる“ＳＶＭ−ｂａｓｅｄ  ｓｃｏｒｅｓ  ｏｆ  ＦＧ”を軸とすることにより、従来のＦＧの蛍光輝度の総量のヒストグラムでは表現することができなかった”ＭＩＡ  ＰａＣａ−２”と”ＭＣＦ−７”との２つのピークを表現することができる。
【００３４】
図６は、表示データ生成部１０４が生成するグラフ情報の一例を示す図である。
図６に示すグラフの点ＰＴ１は、上述した図５（ｂ）及び図５（ｃ）に示す判定結果ＬＩを表す。このグラフは、複数の測定対象の数の比を示すグラフである。このグラフの横軸は、６００個の細胞から“ＭＣＦ−７”のみをＤＡＰＩによって染色し、この“ＭＣＦ−７”が６００個の細胞中に含まれる率を示す。
このグラフの縦軸は、６００個の細胞から“ＭＣＦ−７”と”ＭＩＡ  ＰａＣａ−２”との細胞質全体をＦＧによって染色したものであり、Ｂｌｕｅの点はＦＧの蛍光輝度の総量に基づいて、６００個の細胞の中から“ＭＣＦ−７”の含まれる割合を判別した場合を示し、Ｒｅｄの点はＦＧによって染色された細胞質の形態情報をもとに、機械学習によって“ＭＣＦ−７”が含まれると判定した率を示す。すなわち、このＢｌｕｅの点は、横軸に正解データ、縦軸に細胞の形態情報を元に判別した結果をプロットしたものである。このように、学習結果出力装置１０は、Ｂｌｕｅの点が示すように従来の蛍光輝度の総量のみで判別する手法では正しく判別することができなかった細胞群に対し、Ｒｅｄの点が示すように、細胞形態に対して機械学習を用いることによって、より正確に細胞群を判別できることを示している。
【００３５】
［学習結果出力装置１０の動作の概要］
次に、図７を参照して学習結果出力装置１０の動作の概要について説明する。
図７は、学習結果出力装置１０の動作の一例を示す流れ図である。
【００３６】
信号取得部１０１は、フローサイトメーター２０から信号情報を取得する（ステップＳ１０）。信号取得部１０１は、フローサイトメーター２０から取得した信号情報を機械学習部１０２に対して供給する。
機械学習部１０２は、信号取得部１０１から信号情報を取得する。機械学習部１０２は、信号取得部１０１から取得した信号情報を機械学習する（ステップＳ２０）。機械学習部１０２は、機械学習した結果である判定結果ＬＩを、表示データ生成部１０４に対して供給する。機械学習部１０２は、判定結果ＬＩを、制御信号生成部１０５に対して供給する。
【００３７】
表示データ生成部１０４は、機械学習部１０２から判定結果ＬＩを取得する。表示データ生成部１０４は、機械学習部１０２から取得した判定結果ＬＩを、表示部１１に表示させる。操作者は、表示部１１に表示された判定結果ＬＩに含まれる評価軸を選択する（ステップＳ３０）。操作検出部１０３は、この操作者の操作を検出する。操作検出部１０３は、操作者が選択した評価軸を示す情報を、表示データ生成部１０４に対して供給する。
【００３８】
表示データ生成部１０４は、操作検出部１０３から、操作者が選択した評価軸を示す情報を取得する。表示データ生成部１０４は、操作検出部１０３から取得した操作者が選択した評価軸を軸にするグラフ情報を生成する（ステップＳ４０）。表示データ生成部１０４は、生成したグラフ情報を表示部１１に対して供給する。
【００３９】
表示部１１は、表示データ生成部１０４からグラフ情報を取得する。表示部１１は、グラフ情報に基づいて、表示画像を生成する（ステップＳ５０）。表示部１１は、生成した表示画像を表示する（ステップＳ６０）。
【００４０】
学習結果出力装置１０を操作するユーザーは、表示画像に基づいて、ゲーティングする。操作検出部１０３は、このゲーティングの操作を、ゲーティング操作として検出する（ステップＳ７０）。操作検出部１０３は、検出したゲーティング操作を、表示データ生成部１０４に対して供給する。表示データ生成部１０４は、操作検出部１０３からゲーティング操作を取得する。表示データ生成部１０４は、操作検出部１０３から取得したゲーティング操作に基づいて、ゲーティングされた細胞群のグラフ情報を生成する（ステップＳ８０）。
【００４１】
表示データ生成部１０４は、制御信号生成部１０５に対して、ゲーティング操作によって選択された選択測定対象を示す選択測定対象情報を供給する。制御信号生成部１０５は、表示データ生成部１０４から選択測定対象情報を取得する。制御信号生成部１０５は、表示データ生成部１０４から取得した選択測定対象情報に基づいて、この選択測定対象のソーティングに用いる信号を示す制御信号を生成する（ステップＳ９０）。
制御信号生成部１０５は、生成した制御信号を、ソーティング部２１に対して供給する（ステップＳ９５）。
【００４２】
ソーティング部２１は、制御信号生成部１０５から制御信号を取得する。ソーティング部２１は、この制御信号に基づいて、流路を流される測定対象のうちから選択測定対象を、ソーティングする。
【００４３】
ここで、図８を参照して、操作検出部１０３が検出するゲーティングの操作の一例について説明する。
図８は、２つの軸をそれぞれ判定結果ＬＩに基づく評価軸を軸にしたグラフの一例である。
【００４４】
図８に示すグラフは、横軸に“ＳＶＭ−ｂａｓｅｄ  Ｓｃｏｒｅｓ１”、縦軸に“ＳＶＭ−ｂａｓｅｄ  Ｓｃｏｒｅｓ２”を軸にした測定信号の判定結果を示すグラフである。
領域ＡＲ１に含まれる点は、“ＳＶＭ−ｂａｓｅｄ  Ｓｃｏｒｅｓ１”が示す属性と、“ＳＶＭ−ｂａｓｅｄ  Ｓｃｏｒｅｓ２”が示す属性とを両方もつ測定対象を示す点である。領域ＡＲ２に含まれる点は、“ＳＶＭ−ｂａｓｅｄ  Ｓｃｏｒｅｓ１”が示す属性のみをもつ測定対象を示す点である。領域ＡＲ３に含まれる点は、“ＳＶＭ−ｂａｓｅｄ  Ｓｃｏｒｅｓ２”が示す属性のみをもつ測定対象を示す点である。領域ＡＲ４に含まれる点は、“ＳＶＭ−ｂａｓｅｄ  Ｓｃｏｒｅｓ１”が示す属性と、“ＳＶＭ−ｂａｓｅｄ  Ｓｃｏｒｅｓ２”が示す属性とを両方もたない測定対象を示す点である。
【００４５】
学習結果出力装置１０を操作するユーザーは、測定対象を示す点のうちから、目的の細胞群の点だと思われるエリアを選択して、境界ＧＬを設定する。この境界ＧＬを設定することが、ゲーティングすることである。なお、ユーザーは、過去のデータ等から散乱光又は蛍光の総量の強さ、形態情報を推測して、目的の細胞群だと思われるエリアを囲い込むことにより、境界を設定する。
操作検出部１０３は、このゲーティング操作を検出する。操作検出部１０３は、検出したゲーティング操作を、表示データ生成部１０４に対して供給する。表示データ生成部１０４は、ゲーティング操作に基づいて、境界ＧＬを描画する。
また、表示データ生成部１０４は、この境界ＧＬに含まれる細胞群のグラフ情報を生成してもよい。この境界ＧＬに含まれる細胞群のグラフ情報とは、例えば、上述した図５及び図６に示すヒストグラムや散布図などのグラフである。
【００４６】
［まとめ］
以上説明したように、学習結果出力装置１０は、信号取得部１０１と、機械学習部１０２と、表示データ生成部１０４とを備える。信号取得部１０１は、フローサイトメーター２０から信号情報を取得する。この信号情報には、測定対象の様々な情報が含まれる。機械学習部１０２は、この信号情報に基づいて判定する。機械学習部１０２は、判定結果ＬＩを生成する。機械学習部１０２が生成する判定結果ＬＩには、測定対象の属性を軸とする評価軸が含まれる。表示データ生成部１０４は、機械学習部１０２が機械学習した判定結果ＬＩに基づいて、属性の程度の評価軸を軸にして判定結果ＬＩを表すグラフ情報を生成する。これにより、学習結果出力装置１０は、判定結果ＬＩに含まれる評価軸を軸にもつグラフを生成することができる。また、学習結果出力装置１０は、判定結果ＬＩに含まれる評価軸を組み合わせたグラフを生成することができる。これにより、学習結果出力装置１０は、測定対象の様々な属性の程度を軸にした情報を生成することができる。学習結果出力装置１０は、この情報に基づいて、粒子群を測定対象の形態情報に基づいて分類することができる。
【００４７】
なお、上述した説明では、信号取得部１０１は、フローサイトメーター２０から信号情報を取得する構成について説明したが、これに限られない。信号取得部１０１は、信号情報を他の装置から取得してもよい。
【００４８】
なお、上述した説明では、学習結果出力装置１０が操作検出部１０３を備える構成について説明したが、必須ではない。学習結果出力装置１０は、評価軸を軸にした機械学習結果を表すグラフ情報を生成すればよい。学習結果出力装置１０は、操作検出部１０３を備えることにより、操作者の選択を検出することができる。学習結果出力装置１０を操作する操作者は、判定結果ＬＩに含まれる評価軸を選択することにより、気付いていない特徴を知ることができる。また、学習結果出力装置１０は、操作者が気付いていない特徴に基づくグラフを生成することができるため、測定対象をより詳しく解析することができる。
また、学習結果出力装置１０は、従来は分類することができなかった細胞の形態情報に基づく特徴量を、機械学習部１０２によって分類する。これにより、学習結果出力装置１０は、従来は表示させることができなかった測定対象の特徴量を表示させることができる。
【００４９】
また、学習結果出力装置１０は、操作検出部１０３を備えることにより、上述したゲーティング操作を検出することができる。
学習結果出力装置１０は、制御信号生成部１０５を備える。制御信号生成部１０５は、操作検出部１０３が検出するゲーティング操作に基づいて、制御信号を生成する。このゲーティング操作により選択される細胞群は、学習結果ＬＩに基づく評価軸のグラフに基づくものである。この評価軸が細胞の形態を示す形態情報の評価軸である場合には、細胞の形態に基づいて、ユーザーは、目的の細胞をゲーティングすることができる。制御信号生成部１０５によって生成される制御信号に基づいて、フローサイトメーター２０は、目的の細胞をソーティングすることができる。
つまり、学習結果出力装置１０は、従来の細胞群からの散乱光又は蛍光強度だけではなく、学習結果ＬＩに含まれる評価軸を軸にしたグラフに基づく、ゲーティング操作を検出することができる。また、学習結果出力装置１０は、このゲーティング操作を検出することにより、選択された細胞群を分取する制御信号を生成することができる。
【００５０】
また、機械学習部１０２は、論理回路によって構成される判定器を備える。これにより、機械学習部１０２は、短い時間で測定対象を機械学習することができる。つまり、学習結果出力装置１０は、短い時間で測定対象の様々な属性が含まれる判定結果ＬＩを生成することができる。
【００５１】
なお、上述した説明では、機械学習部１０２は、サポートベクターマシンによって機械学習する構成について説明したが、これに限られない。機械学習部１０２は、機械学習結果として測定対象の属性の程度を表示データ生成部１０４に対して供給する構成であればよい。例えば、機械学習部１０２は、ランダムフォレストやニューラルネットワークなどによって機械学習する構成が挙げられる。また、機械学習部１０２は、対象に関する属性を出力する機械学習モデルであれば教師なしでも構わない。対象に関する属性を出力する機械学習モデルとは、例えば、主成分分析やオートエンコーダーなどが挙げられる。
【００５２】
なお、上述した説明では、学習結果出力装置１０は、制御信号生成部１０５を備える構成について説明したが、制御信号生成部１０５は必須では無い。学習結果出力装置１０は、制御信号生成部１０５を備えることにより、判定結果ＬＩに含まれる評価軸に基づいて、フローサイトメーター２０に対してソーティングの制御をすることができる。
【００５３】
なお、上述したフローサイトメーター２０は、測定対象が光学系又は検出系に対して相対位置が変化する構成について説明したが、これに限られない。静止した測定対象を光学系又は検出系を移動させてもよい。
【００５４】
また、上述したフローサイトメーター２０は、光信号の時系列信号を取得する構成について説明したが、これに限られない。フローサイトメーター２０は、イメージングフローサイトメーターであってもよい。この場合には、イメージングフローサイトメーターとは、測定対象の像を、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  ＭＯＳ；相補型ＭＯＳ）、ＰＭＴ（ｐｈｏｔｏｍｕｌｔｉｐｌｉｅｒ  ｔｕｂｅ；光電子増倍管）などの撮像素子によって撮像するフローサイトメーターである。イメージングフローサイトメーターは、撮像した像を示す撮像画像を生成する。フローサイトメーター２０は、この撮像画像を、学習結果出力装置１０に対して信号情報として供給する。学習結果出力装置１０は、この撮像画像に含まれる測定対象の像を機械学習部１０２が備える判定器によって判定することにより、判定結果ＬＩを生成する。
【００５５】
なお、上述した図８に示すグラフの表現は一例であって、これに限られない。表示データ生成部１０４は、２つの軸をそれぞれ判定結果ＬＩに基づく評価軸を軸にしたグラフ情報を生成すればよい。
【００５６】
以上、本発明の実施形態を、図面を参照して詳述してきたが、具体的な構成はこの実施形態に限られるものではなく、本発明の趣旨を逸脱しない範囲で適宜変更を加えることができる。
【００５７】
なお、上述の学習結果出力装置１０は内部にコンピュータを有している。そして、上述した装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００５８】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００５９】
１…細胞測定システム、１０…学習結果出力装置、２０…フローサイトメーター、２１…ソーティング部、１１…表示部、１２…操作部、１０１…信号取得部、１０２…機械学習部、１０３…操作検出部、１０４…表示データ生成部、１０５…制御信号生成部
【図１】
2018181458.tif 000003
【図２】
2018181458.tif 000004
【図３】
2018181458.tif 000005
【図４】
2018181458.tif 000006
【図５】
2018181458.tif 000007
【図６】
2018181458.tif 000008
【図７】
2018181458.tif 000009
【図８】
2018181458.tif 000010
【国際調査報告】
2018181458.tif 000011
2018181458.tif 000012
2018181458.tif 000013
2018181458.tif 000014